(57)【要約】【課題】  ブラシモーターを駆動源とする録音再生機において、整流子と整流子との間にブラシの磨耗くずが付着し、整流子間を短絡して運転不能になることを回避する目的で、一定のタイミングにてモータ駆動電源回路の駆動能力を増加し、整流子と整流子の間に付着したブラシの磨耗くずを大電流により焼ききる技術を録音再生機に用いるとき、上記のタイミングが曲の再生中に行われないようにする。【解決手段】  リピート再生時に、全曲を再生終了し、次回の再生に入る前のタイミングで、前記ブラシモーターを自動停止、自動再起動させ、起動時の大電流を利用して整流子間に堆積したブラシの削りくずを焼ききることで、曲の再生品質を損なうことなく、長時間再生を可能にした。【選択図】        図１
2005278254.tif 000002
【特許請求の範囲】
【請求項１】
ブラシモータを駆動源としリピート再生機能をもつ録音再生機において、
リピート再生時に、全曲を１回再生する毎に、前記ブラシモータを自動停止、自動再起動させる制御手段を備えていることを特徴とする録音再生機。
【請求項２】
ブラシモータを駆動源としリピート再生機能をもつ録音再生機において、
リピート再生時に、全曲を規定回数再生する毎に、前記ブラシモータを自動停止、自動再起動させる制御手段を備えていることを特徴とする録音再生機。
【請求項３】
ブラシモータを駆動源としリピート再生機能をもつ録音再生機において、
予め決められたブラシモータの可能連続駆動時間と、記録媒体の再生時間情報に基づいて、記録媒体の連続再生規定回数を算出し、この算出された連続再生規定回数毎に、ブラシモータを自動停止、自動再起動させる制御手段を備えることを特徴とする録音再生機。
【請求項４】
前記録音再生機は、ディスクに収録された内容を再生する車載のディスクプレーヤーであることを特徴とする請求項１から請求項３のうちのいずれか１項記載の録音再生機。
【発明の詳細な説明】
【技術分野】
【０００１】
本発明は、ブラシモータを駆動源としリピート再生機能をもつ録音再生機に関するものである。
【背景技術】
【０００２】
ＤＣモータのブラシが磨耗し、整流子と整流子との間にブラシの磨耗くずが付着し、整流子間が短絡して運転不能になるのを回避する手段として、モータ駆動中にプリセットしたタイミングにてクリーニング信号発生回路から発生されたクリーニング信号によりモータ駆動電源回路の駆動能力を増加し、整流子と整流子の間に付着したブラシの磨耗くずを大電流により焼ききってクリーニングする技術思想がある（例えば、特許文献１参照）。
【０００３】
この技術思想によれば、ＤＣモータの整流子間に堆積したブラシくずが除去される頃、クリーニング信号発生回路はクリーニング信号を終了し、モータ駆動電源は再び正常なＤＣモータの負荷条件を駆動するのに十分な駆動力となり、ＤＣモータを駆動することができる。
【０００４】
一方、連続リピート再生が多用される録音再生機、例えば車載のディスクプレーヤーにおいて、その駆動源としてブラシモータを使用するものがある。このブラシモータがリピート再生に伴い長時間連続駆動されるとき、整流子間にブラシくずが堆積してついには整流子間を短絡し、回転不能に陥る。
かかる録音再生機に特許文献１の技術思想を適用した場合、大電流によるブラシ磨耗くず焼ききりのタイミングが、プリセットされた一定の時間間隔となる。
ここで、例えば曲を収録したディスク１枚についての収録時間は各ディスク毎に異なるため、プリセットされた一定の時間間隔での大電流印加では、この大電流印加のタイミングが、曲の演奏途中になることも考えられ、かかる場合には、曲の再生途中でモータ駆動電流が突然大電流に変わるため、モータが高速回転して再生不能となり聞き手に不快感を与えることが予測される。また、高速回転に伴い異常音を発生するという課題があった。
【０００５】
【特許文献１】特開平４−４７９０号公報
【発明の開示】
【発明が解決しようとする課題】
【０００６】
この発明は上記のような課題を解決するためになされたもので、録音再生機における再生品質を損なうことなくブラシモータの整流子間に堆積したブラシくずを除去して長時間再生が可能な録音再生機を提供することを目的とする。
【課題を解決するための手段】
【０００７】
この発明に係る録音再生機は、リピート再生時に、全曲を１回再生する毎に、ブラシモータを自動停止、自動再起動させる制御手段を備えたものである。
この発明に係る録音再生機は、リピート再生時に、全曲を規定回数再生する毎に、ブラシモータを自動停止、自動再起動させる制御手段を備えたものである。
この発明に係る録音再生機は、予め決められたブラシモータの可能連続駆動時間と、記録媒体の再生時間情報に基づいて、記録媒体の連続再生規定回数を算出し、この算出された連続再生規定回数毎に、ブラシモータを自動停止、自動再起動させる手段を備えたものである。
【発明の効果】
【０００８】
この発明によれば、リピート再生時に、全曲を１回再生する毎に、ブラシモータを自動停止、自動再起動させるように構成したので、曲の途中でモータの高速回転を生じさせることなく、モータ起動電流を利用して整流子間に堆積したブラシくずを除去して長時間再生できる効果がある。
この発明によれば、リピート再生時に、全曲を規定回数再生する毎に、前記ブラシモータを自動停止、自動再起動させるように構成したので、曲の途中でモータの高速回転を生じさせることなく、少ない頻度でモータを自動停止、自動再起動し、モータ起動電流を利用して整流子間に堆積したブラシくずを除去し長時間再生できる効果がある。
【０００９】
この発明によれば、予め決められたブラシモータの可能連続駆動時間と、記録媒体の再生時間情報に基づいて、記録媒体の連続再生規定回数を算出し、この算出された連続再生規定回数毎に、ブラシモータを自動停止、自動再起動させるように構成したので、用いる記録媒体に応じ、少ない頻度でモータを自動停止、自動再起動し、モータ起動電流を利用して整流子間に堆積したブラシくずを除去して長時間再生できる効果がある。
【発明を実施するための最良の形態】
【００１０】
実施の形態１．
この発明の実施の形態１を説明する。録音再生機としては、各種あり、駆動源としてブラシモータを用い、記録媒体の収録内容を自動連続全曲リピート再生できるモードを備えるものならば、この発明を適用できる。ここでは、長時間ドライブに際して自動連続全曲リピート再生モードが多用される車載のディスクプレーヤーについて説明する。
全曲とは、記録媒体に音楽が収録されている場合の表現であるが、これに限らず、朗読や語学レッスンなど、曲ではなく何らかの表現内容が項目に分けて余白時間をおいて収録されている場合もある。これらの表現内容は全曲という名称にはなじまないが、本発明の実施上では、全曲と同じ意味をもつので、ここでは全曲と同様に扱うものとする。
【００１１】
図１はディスクプレーヤーの要部を制御手段４と共に模式的に示す。記録媒体としてのディスク１は当該ディスクプレーヤーに対して着脱可能であり、ブラシモータとしてのスピンドルモータ２により回転駆動されるようになっている。ディスク１の裏側に近接して光ピックアップ３が位置し、ディスク１の回転中にホームポジションからディスク１の半径方向に移動してトラックに記録された収録情報を読み取り再生し全曲の再生を終えると、ホームポジションに戻る。リピート再生時には、この行程を繰り返す。
【００１２】
制御手段４はコントロール基板５上に配置されたＤＳＰ（ｄｉｇｉｔａｌ  ｓｉｇｎａｌ  ｐｒｏｃｅｓｓｏｒ）６、ＣＰＵ（ｃｅｎｔｒａｌ  ｐｒｏｃｅｓｓｉｎｇ  ｕｎｉｔ）７、モータ駆動回路８などからなる。光ピックアップ３とＤＳＰ６とは接続されていて、光学ピックアップ３によりディスク１から読み取られた読み取り情報がＤＳＰ６に随時入力される。ＤＳＰ６とＣＰＵ７間は情報の授受が可能である。ＤＳＰ６はモータ駆動回路８にスピンドルモータ２の起動、停止を指令する。この指令を受けたモータ駆動回路８はスピンドルモータ２を起動、停止させる。
【００１３】
ＣＰＵ７は光学ピックアップ３がディスクから読み取ったトラック情報等をＤＳＰ６経由で取得し、ディスク１のトラックに収録された全曲が再生されたかどうかや、ディスク１の連続再生回数を知ることができ、さらに、スピンドルモータ２の停止、再起動の制御に必要な種々の設定値をセットしたり、演算したりすることができる。
【００１４】
スピンドルモータ２の内部構造、特に、ブラシ、整流子の部分を説明する。スピンドルモータ２の内部構成を示した図２において、よく知られるように、ステータ２２の内側を電機子２３が回転する。電機子２３の回転中心部２４を拡大して示した図３において、回転軸２４１は円筒状の絶縁部材２４２で覆われている。この絶縁部材２４２の外周面には導体からなる３つの湾曲板状の整流子２４３が溝状の空隙からなる絶縁部２４４を間に挟んで筒体を構成している。絶縁部２４４はこの筒体を円周方向で３等分に区切っている。
【００１５】
整流子２４３には直径方向から２つのブラシ２４５が対向した配置で圧接させられている。これらブラシ２４５間には、直流電圧ＤＣが印加される。整流子２４３は、ブラシ２４５を介して電機子２３のコイルに流れる電流の向きを当該電機子２３の回転と共に切り替える。こうして、電磁石の極性を切り替えることで、ステータ２２側の磁石ＭＧとの間で、磁気的な吸引と反発を繰り返し、電機子２３が連続的に回転する。
【００１６】
このように、電流の向き（電磁石の極性）を切り替えるためには、隣合う各整流子２４３間は絶縁部２４４によって、絶縁状態が保持されることが必要であるが、ディスク１を長時間リピート再生するために連続回転させると、ブラシ２４５が、絶縁部２４４との境界に位置する整流子２４３のエッジによって削り取られて、このブラシの削りくず（金属くず）が次第に絶縁部２４４を構成する空隙を埋めていき、遂には、絶縁破壊を起こして導通し、モータの回転が停止してしまう。
【００１７】
絶縁部（溝部）２４４にブラシの削りくずが溜まり、絶縁破壊を起こしてスピンドルモータ２が回転を停止したとき、一旦電源を切ってから電源を入れると、その再起動時に絶縁破壊を起こしている絶縁部２４４を介して起動電流が流れることから、絶縁部（溝部）２４４に溜まったブラシの削りくずが焼ききられて、絶縁部２４４は初期状態に戻り、モータは通常通り回転するようになる。しかし、曲の再生中にスピンドルモータ２を自動停止、自動起動させることはできない。そこで、実施の形態１では、全曲を再生する毎に、スピンドルモータ２を自動停止、自動再起動させる制御手段４による制御を、図１、図４を参照しつつ説明する。図４は、図１に示した制御手段４による「Ｄｉｓｃ内トラック全曲再生終了」の処理手順を示している。当該ディスクプレーヤーにおいて、全曲リピート再生モードのもと、スタートスイッチをオンにすることで、スピンドルモータ２が起動してディスク１が回転し、光ピックアップ３が移動してディスク１の情報を読み取り、曲の再生が行われる。
【００１８】
ＣＰＵ７は、ＤＳＰ６を介して入力した光ピックアップ３のトラック読み取り情報から、ディスク１内トラックの全曲の再生が終了したと判断する（ステップＳＴ１）。この判断に基づき、ＣＰＵ７は直ちに、スピンドルモータ２の停止処理を行う（ステップＳＴ２）。これは、ＣＰＵ７の停止指令信号を受けたＤＳＰ６がモータ駆動回路８を制御することでスピンドルモータ２の電源がオフにされることで実行される。
【００１９】
スピンドルモータ２の電源がオフにされた後、当該電源の起動を行うためのスピンドルモータの起動処理がなされる（ステップＳＴ３）。
この起動処理における電源オンにより、図３に示した整流子２４３には、起動大電流が印加されるので、もし、このときまでに絶縁部２４４にブラシの削りくずが絶縁破壊されるほど堆積されていれば、この起動大電流により焼ききられて消滅し絶縁状態が初期状態に復帰するし、通電されるほどまで堆積しておらず絶縁性がある状態ならば、単にスピンドルモータ２が一時停止して、再起動されるだけである。
【００２０】
この一時停止につづく再起動に際して、スピンドルモータ２は一時高速回転するが、そのタイミングはディスク１内の全曲再生終了時つまり、次の回の再生までの余白時間内で行われる処理であるので、ユーザー（聞き手）に与える違和感はほとんどない。
スピンドルモータ２が再起動後、速度が安定した時点でＤｉｓｃ再生動作に入り、再起動後の第１曲目からの再生が始まる（ステップＳＴ４）。
【００２１】
ここで、全曲再生終了というように、記録媒体に収録されている複数（多数）曲の全部が終了したときに、モータの停止、再起動処理を行うのは、このタイミングが全曲の終了に伴う区切りであること、光ピックアップ３の戻り動作に必要な時間確保の必要、などから、全曲終了に至るまでの各曲間の余白時間よりも、この全曲再生終了時の余白時間が比較的長いのでこの余白時間内で停止、再起動処理を十分行うことができるし、全曲終了のタイミングであるので、一時的な高速回転に伴う違和感が少ないからである。この点は他の実施の形態においても共通である。
【００２２】
実施の形態２．
制御手段４による第２の制御例を、図１、図５を参照しつつ説明する。本例では予め、当該ディスクプレーヤーで使用されるディスクについて調査し、ブラシの削りくずにより絶縁破壊を起こすことなく、その全曲を連続して再生することができる回数「ｎ」を規定回数として定め、ＣＰＵ７にプリセットしておく。ここで、ディスクは個々に収録曲数や演奏時間が異なるので、例えば平均的な値が採用される。
この規定回数「ｎ」は、図３に示した絶縁部２４４にブラシの削りくずがない状態からスピンドルモータ２を起動して連続駆動したときに、絶縁部２４４に堆積してくるブラシの削りくずによって絶縁破壊が未だ起こされることなく正常な回転が確保されている間の、可能な限り長い時間として実験や経験値などから求め、これを「クリーニング動作実施設定時間Ｔ」とすると、この時間Ｔ内でディスクの全曲を連続再生できるリピート回数として任意に定めた値である。
【００２３】
図１に示したディスクプレーヤーにおいて全曲リピート再生モードのとき図５において、「Ｄｉｓｃ内トラック全曲再生終了の処理」が開始される。スピンドルモータ２が起動してディスク１が回転し、光ピックアップ３が移動して曲の再生が始まる。図５において、ステップＳＴ１０までの処理は図４で説明したステップＳＴ１と同じである。ＣＰＵ７はディスク１の全曲連続再生回数（リピート回数）をカウントしており、ディスク１に収録された全曲の再生が終了すると、ステップＳＴ１１において、リピート再生の開始から全曲の再生を終了した現時点までのリピート回数である「実全曲連続再生回数Ｎ」と、規定回数「ｎ」とを比較する。
【００２４】
「実全曲連続再生回数Ｎ」が規定回数「ｎ」に達していなければ、ディスク再生動作に入るし、「実全曲連続再生回数Ｎ」が規定回数「ｎ」に達していたら、ステップＳＴ１２、ＳＴ１３に進み、前記した図４におけるステップＳＴ３、ＳＴ４のプロセスに準じて、スピンドルモータ２を停止、再起動した後、ディスク１の再生動作に入る。
図４で説明した実施の形態１では全曲再生終了する毎にスピンドルモータ２の停止、再起動がなされるのに対し、実施の形態２では規定回数「ｎ」までは当該スピンドルモータ２の停止、再起動はないので、停止、再起動の頻度が少なく、諸部材の長寿命化、省電化を図ることができる。
【００２５】
実施の形態３．
制御手段４による第３の制御例を、図１、図６、図７を参照しつつ説明する。本例は図６に示す「連続Ｄｉｓｃ再生回数＝ｎｘ算出」処理と、図７に示す「Ｄｉｓｃ内トラック全曲再生終了の処理」の各制御によりディスクの長時間再生を図る。
図７に示す「Ｄｉｓｃ内トラック全曲再生終了の処理」では、予め、前記実施の形態２における手順に準じ、「クリーニング動作実施設定時間（ブラシモータの可能連続駆動時間）Ｔ」を求めておき、これをＣＰＵ７にプリセットしておく（ステップＳＴ１１０）。
【００２６】
図１に示したディスクプレーヤーに、これから再生しようとするディスク１が装着されると、ＣＰＵ７は光ピックアップまたは光学ピックアップ３からこのディスク１に記録されている情報を得て、「全曲の再生時間情報」を取得する（ステップＳＴ１１１）。次いで、ＣＰＵ７は既に取得されている「クリーニング動作実施設定時間Ｔ」と、「全曲の再生時間情報」とから、ディスク（記録媒体）の連続再生規定回数（以下、連続Ｄｉｓｃ再生回数という）「ｎｘ」を算出し（ステップＳＴ１１２）、この連続Ｄｉｓｃ再生回数「ｎｘ」をカウンタにセットする（ステップＳＴ１１３）。
なお、この連続Ｄｉｓｃ再生回数「ｎｘ」は、実施の形態２における規定回数ｎに対応し、規定回数「ｎ」が多種多数のディスクをもとに求めた全曲連続再生回数だったのに対して、連続Ｄｉｓｃ再生回数「ｎｘ」は、これから再生しようとする具体的なディスクについての全曲連続再生回数である点で異なる。
【００２７】
次に図７に示す処理が実行される。図７に示した処理内容は、図５で説明した処理内容に準じていて、図５におけるステップＳＴ１０〜ステップＳＴ１３が、図７におけるステップＳＴ１２０〜ステップＳＴ１２３にそれぞれ対応する。
つまり、全曲リピート再生モードのもと、ディスク１内トラックの全曲の再生が終了すると、ステップＳＴ１２１において、再生を終了した現時点までの「実全曲連続再生回数Ｎ」と、セットされている連続Ｄｉｓｃ再生回数「ｎｘ」とが比較され、「実全曲連続再生回数Ｎ」が連続Ｄｉｓｃ再生回数「ｎｘ」に達していなければ、ディスク再生動作に入るし、「実全曲連続再生回数Ｎ」が連続Ｄｉｓｃ再生回数「ｎｘ」になったら、ステップＳＴ１２２、ＳＴ１２３に進み、前記した図４におけるステップＳＴ３、ＳＴ４に準じて、スピンドルモータ２を停止、再起動したのち、ディスク１の再生動作に入る。
【００２８】
実施の形態２と実施の形態３とを比較すると、何れも所定の連続全曲リピート回数に達するまではスピンドルモータ２の停止、再起動が行われない点で共通であるが、実施の形態２ではディスク一般について定めた規定回数「ｎ」まではスピンドルモータ２の停止、再起動はないのに対して、実施の形態３では現に再生中の具体的なディスク１についての連続Ｄｉｓｃ再生回数にもとづいて、スピンドルモータ２の停止、再起動のタイミングが定めされる点で相違し、実施の形態３の方が、より一層きめ細かにスピンドルモータ２の停止、再起動がなされ、諸部材の長寿命化、省電化を図ることができる。
【００２９】
実施の形態４．
以上、各実施の形態において図１乃至図７により録音再生機としてディスクに収録された内容を再生する車載のディスクプレーヤーの例を説明した。車載という特性上、長時間にわたる連続リピート再生の機会が多いディスクプレーヤーについて、この発明は良好な再生品質を得ることができる。また、ディスクプレーヤーにこの発明を適用することで、ディスクのトラック情報から、この発明の制御に必要な情報、例えば、光ピックアップのトラック読み取り情報から、ディスク内トラックの全曲の再生が終了したと判断できる情報や、ディスクに収録された全曲の再生時間情報などを容易に読み出しで本発明のモータの停止、再起動の制御に供することができる。
なお、ブラシモータを駆動源としリピート再生機能をもつ録音再生機の一種であるカセットレコーダーについても、オートリバースモードがエンドレスに繰り返される機種では、これまで説明した例に準じて、片面の収録内容（全曲）の再生終了時に、駆動源であるブラシモータを自動停止、再起動することで連続リピート再生を行うことで、長時間のリピート再生を行うことができる。
【図面の簡単な説明】
【００３０】
【図１】ディスクプレーヤーの要部構成ならびに制御手段の概要を説明した図である。
【図２】ブラシモータの断面図である。
【図３】図２における整流子の部分を拡大して示した図である。
【図４】ブラシモータの停止、起動を含む制御例を説明したフローチャートである。
【図５】ブラシモータの停止、起動を含む制御例を説明したフローチャートである。
【図６】ブラシモータの停止、起動を含む制御例を説明したフローチャートである。
【図７】ブラシモータの停止、起動を含む制御例を説明したフローチャートである。
【符号の説明】
【００３１】
２  スピンドルモータ、４  制御手段、ｎｘ  連続再生規定回数、Ｔ  記録媒体の可能連続駆動時間（クリーニング動作実施設定時間）。
【図１】
2005278254.tif 000003
【図２】
2005278254.tif 000004
【図３】
2005278254.tif 000005
【図４】
2005278254.tif 000006
【図５】
2005278254.tif 000007
【図６】
2005278254.tif 000008
【図７】
2005278254.tif 000009